(57)【特許請求の範囲】
【請求項１】
乳児を配置するのに適した乳児プラットフォームを持つ基台を有する乳児保育ベッド（１０）であって、
当該乳児保育ベッド（１０）はその中に評価装置を含み、当該評価装置は、乳児の体重を決定するための体重計（１４）、乳児の吸込み力を決定するための圧力センサ（２０）、様々な周波数の音を聞く乳児の聴力を決定するための聴力モニタ（２２）、及び乳児の血液中のビリルビンのレベルを決定するためのビリルビン測定器（２４）を含み、
当該乳児保育ベッドは、中央処理装置と、乳児プラットフォーム上に配置された乳児について前記評価装置により遂行すべき複数の評価試験の電子プロトコルを記憶するための記憶装置（３６）と、看護人により乳児について遂行された試験を表すデータを看護人が入力するための入力装置（３４）とを備え、
当該乳児保育ベッドは電子表示装置をさらに含み、前記中央処理装置が、看護人が入力した前記データと、前記記憶装置に記憶され、体重、吸込み力、聴力およびビリルビンのレベルのうちの少なくとも１つを含む前記評価試験のリストとを、前記電子表示装置に送り、当該試験の完了をユーザに視覚的に表示すること
を特徴とする乳児保育ベッド（１０）。
【請求項２】
前記乳児保育ベッド（１０）は更に、オキシメータ（２８）、血圧モニタ（３０）、及び乳児の体温を決定するための皮膚温度センサ（３２）の内の１つを含んでいる、請求項１記載の乳児保育ベッド（１０）。
【請求項３】
前記乳児保育ベッド（１０）は、前記記憶装置（３６）から無線送信によって遠隔の場所（３８）へデータを送信するための送信装置（４０）を含んでいる、請求項１記載の乳児保育ベッド（１０）。
【請求項４】
健康管理設備内で乳児についての評価を行う方法であって、
乳児の体重を決定するための装置（１４）、乳児の吸込み力を確かめるための装置（２０）、乳児の聴力を決定するための装置（２２）、及び乳児の血液中のビリルビン濃度を決定するための装置（２４）を含み、各装置は所定のパラメータの試験結果表示を生成する、乳児保育ベッド（１０）を設ける段階と、
前記乳児ベッド（１０）内に中央処理装置と記憶装置（３６）とを設ける段階と、
体重、吸込み力、聴力および乳児の血液中のビリルビン濃度を含む、乳児について行われることが望ましい複数の試験のプロトコルを前記記憶装置（３６）に入力する段階と、
前記試験のプロトコルのうち、看護人が乳児について遂行した試験について試験結果を入力する段階と、
前記中央処理装置により、前記複数の試験の前記プロトコルと入力された前記試験結果とを表示装置に送り、入力された試験のうちどの試験が完了しどの試験が完了していないかを表示する段階と、
を含む方法。
【請求項５】
健康管理設備で乳児についての評価に使用するための乳児ベッド（１０）であって、
当該乳児ベッド（１０）は、その中に評価装置を備えており、当該評価装置が、
乳児の体重を決定し、乳児の体重を示す信号を提供するための体重測定装置（１４）と、
乳児の吸込み力を決定するために乳児の口と連通し、乳児の吸込み力を示す信号を提供する圧力検知装置（２０）と、
様々な周波数の音を聞く乳児の能力を決定し、乳児の聴力を示す信号を提供する聴力測定装置（２２）と、
乳児の血液中のビリルビンのレベルを決定し、乳児の血液中のビリルビンのレベルを示す信号を提供するビリルビン測定装置（２４）と、
を含み、
当該乳児ベッド（１０）は更に、中央処理装置と、前記評価装置の１つまたは複数を利用して乳児の評価を行う際に前記健康管理設備によって要求される複数の試験のプロトコルを記憶した記憶装置（３６）を含み、
該複数の試験は、体重、吸込み力、聴力およびビリルビンのレベルを含み、
当該乳児ベッド（１０）は、さらに、
看護人が乳児について遂行した、乳児の体重、吸込み力、聴力および乳児の血液中のビリルビンのレベルを示す試験結果を、看護人が入力および記録するための入力装置と、
表示装置と、
を備え、
前記中央処理装置が、前記記憶装置に記憶された前記複数の試験の前記プロトコルと、看護人による前記入力とを表示装置に送り、前記プロトコルにリストされた試験と看護人により入力された試験結果とを視覚的に表示すること
を特徴とする乳児ベッド（１０）。
【請求項６】
前記乳児ベッド（１０）は更に、前記記憶装置（３６）から遠隔の場所（３８）へデータを送信するための送信装置（４０）を含んでいる、請求項５記載の乳児ベッド（１０）。
【請求項７】
前記乳児ベッド（１０）は更に、複数の試験のプロトコルを前記記憶装置（３６）に電子的に入力するための入力装置（３４）を含んでいる、請求項５記載の乳児ベッド（１０）。
【請求項８】
前記乳児ベッド（１０）は更に、オキシメータ（２８）、血圧モニタ（３０）、及び皮膚温度センサ（３２）の内の１つを含んでいる、請求項５記載の乳児ベッド（１０）。
【発明の詳細な説明】
【技術分野】
【０００１】
本発明は、一般的に云えば、乳児保育ベッドに関するものであり、より具体的には、乳児についての評価(evaluation)を行うために且つ乳児についてのある特定の試験を実施するための試験プロトコルを利用するために関連した様々な装置を持つ乳児保育ベッドに関するものである。
【背景技術】
【０００２】
新生児の保育では、分娩室での出産が普通であり、乳児にはその分娩室内にいる間に最初に温めるなどの看護が行われる。分娩室内で一般に使用されている乳児保育装置の１つの構成要素が乳児保育ベッドであり、これは、基本的には、その上に乳児を載せて、看護人が乳児の健康状態を判定するために乳児について様々な評価及び試験を行うことができるようにする平坦なプラットフォーム（台）を提供する。
【０００３】
このような評価に関して、乳児について遂行される多数の試験又は検査があり、現在では、乳児を受け入れるために、或いは設備から解放するほど充分に状態が安定し且つ丈夫であることを確認するために、それらの試験を実行するための装置が一般に病院内の様々な区域に配置されており、従って、看護人は必要な試験を行うために必要な試験装置を探し出さなければならない。このような一般的な試験には、乳児の体重、乳児の吸込み力、様々な周波数における乳児の聴力、及び乳児の血液中のビリルビンのレベルを評価することの内の少なくとも１つが含まれる。
【０００４】
また、各病院内では、職員によって乳児について行う試験が異なり、また試験結果を首尾よく判断してそれらの試験の合否を定めるための判定基準が異なることがある。このため、乳児に付き添う看護人が異なると、所望の試験の内の１つ以上が不注意に省略されたり、病院によって確立されている態様で実施されなかったりする可能性がある。
【０００５】
入院中の通常の課程では、上記の試験を含めて様々な試験及び評価が、様々な時点で、所望の情報を検知し且つ決定する個別の装置を使用することによって遂行されている。従って、乳児が病院の設備内に受け入れ及び／又は設備から解放するのに適しているかどうか見極めるために乳児を評価する際に用いられる判定基準の全てに注意を払うことができる単一の乳児保育装置は存在していない。
【特許文献１】米国特許第５３７６７６１号
【特許文献２】米国特許第７，０３８，５８８号（対応日本特許文献：特許公開２００９―１７２３８３Ａ２と公表特許２００５―５１４０７８Ｔ２）
【特許文献３】米国特許第６，１０９，１００号
【特許文献４】米国特許公開２００７０１６７６９１（対応国際公開ＷＯ０５０７２６０５Ａ１）
【発明の開示】
【発明が解決しようとする課題】
【０００６】
従って、看護人が１つの装置を使用することによって乳児について複数の試験を敏速に且つ便利に実施することができると共に、その乳児についての試験及び評価を達成するために試験装置を別の場所から持って来たり、乳児を一つの場所から別の場所へ移動させたりすることを必要とせずに、乳児の評価に使用される機器が利用可能である乳児保育ベッドがあれば、有利であろう。更に、特定の病院で実施するのが望ましい試験の全てが乳児について一貫して完全に行われるように保証する手段を提供できる乳児保育ベッドがあれば、有利であろう。
【０００７】
更に、病院が乳児の評価において乳児について実施することを要求している様々な試験を列挙するプロトコルを入力するための病院用の設備を持ち、また看護人が試験結果のデータを入力できるようにする入力装置を持ち、更に入力済みの試験プロトコルについて、完了した試験及び乳児に対して行うべき試験を通知するチェックリストを示す表示装置を持つ乳児保育ベッドがあれば、有利であろう。
【課題を解決するための手段】
【０００８】
従って、本発明は、乳児の評価(evaluation)を行う際に使用される様々な機器及び装置を、これらの機器及び装置が乳児保育ベッドのある１つの場所で看護人に即座に利用できるように、組み入れた乳児保育ベッドに関する。
【０００９】
前に述べた様々な試験は次のように実施される。すなわち、体重の評価は、勿論、体重計によって行われ、吸込み力は乳児の口における圧力を検知することのできる圧力センサによって決定され、聴力の評価は様々な所定の周波数の音を聞く乳児の能力を確かめる聴力モニタによって行われ、またビリルビンの評価は乳児の血液中のビリルビンのレベルを検出するビリルビン測定器によって行われる。
【００１０】
従って、本発明では、乳児の受入れ（入院）及び解放（退院）の際に共通するそれらの基本的な試験の全てが本発明の乳児装置に組み入れられる。ここで、「組み入れる」とは、特定の機器又は装置を乳児保育装置に物理的に取り付けるか又は内蔵させて、容易に取り外せないようにすることを意味する。従って、本発明の乳児保育ベッドを利用する看護人に対して、受入れ又は解放の際に乳児について行われる共通の試験を実施するために必要な全ての装置が乳児保育ベッドにおいて常に利用可能であること、及び共通の試験を実施するために必要な装置が看護人により取り外せないことを保証することができる。
【００１１】
乳児保育ベッドはまたコンピュータ・メモリ及び中央処理装置を持ち、このため、病院はそれ自身のカスタマイズした試験プロトコルを乳児保育ベッドに入力して、又は製造者によってプログラムしておいて、看護人を病院作成のプロトコルに従わせることができ、これにより、特定の目的、すなわち、受入れ（入院）又は解放（退院）のために病院によって要求される全ての試験が行われることを効果的に保証し、且つそれらの試験の結果が病院によって設定された基準を満たしているか又はそれを超えたことを検証することができる。
【００１２】
従って、病院自体は、特定の目的のために乳児について行いたい試験を決定することができ、またどのような試験が要求されているのか看護人が分かるようにコンピュータ・メモリにそのプロトコルを入力することができる。乳児保育ベッドはまた、看護人にアクセス可能である入力を持ち、看護人は乳児に与えられた試験及びその試験結果を入力することができる。この場合、コンピュータ・メモリが各乳児について行われた試験について連続的に記録し続けて、病院によって要求された全ての試験が乳児について行われて、特定の病院基準を満たすこと、及びそれらの試験の結果が乳児の居る場所で何時でも電子形態で看護人に容易に利用可能であることを病院に保証することができる。
【００１３】
全ての試験が入力済みのプロトコル上に列挙されているので、乳児保育ベッドは、完了した試験、それらの完了した試験の試験結果、及び病院のプロトコル基準を満たすために行うべき試験のリストをユーザが確かめることができるようにする表示装置を有する。
【００１４】
一実施形態では、乳児ベッドのメモリ内の電子的試験結果が、病院設備内の中央に配置された電子カルテ（ＥＭＲ）に有線又は無線手段によって伝送される。従って、乳児についての全ての試験は専用の乳児保育ベッドによって実施することができ、看護人に対しは乳児保育ベッドがその試験を行うための必要な装置を持っていることを保証することができ、データは特定の乳児についてその乳児保育ベッドで入力し且つ利用可能であり、及び／又は中央の場所へ送信してその患者のカルテに入力して、他の患者のカルテと共に保存することができる。
【００１５】
このように、本発明では、乳児についてのある特定の評価を行うために必要な全ての装置が一つの場所に存在し、その場所はまた乳児についての全ての試験データを持っていると共に、乳児の評価の際に行うべき、その特定の病院によって要求された試験のチェック・リストを持っている。
【００１６】
本発明のこれらの及び他の特徴及び利点は、図面と共に以下の詳しい説明を読みことにより明らかになろう。
【発明を実施するための最良の形態】
【００１７】
次に図面について説明すると、本発明の乳児保育ベッド１０の概略図を示している。図から分かるように、多数の装置が乳児保育ベッド１０に組み入れられており、これらの装置は、乳児プラットフォーム１２上に載せた乳児について看護人が試験を実施するために設けられている。
【００１８】
従って、基本的な装置は独立型のものが市場で容易に入手できるので、図には幾つかの装置を概略的に示しており、その中には体重計１４が含まれ、体重計１４は図示のように乳児の体重を量るために乳児の下に挿入することができる。しかしながら、体重計は乳児の下により恒久的に配置しておくことができ、このように実施形態は市場で容易に入手できる。体重計１４によって決定された乳児の体重についての読出し装置１６がモニタ・ハウジング１８に装着されて看護人によって視覚的に読み取られるが、読出し装置並びに乳児体重計自体は、乳児保育ベッド１０上の看護している乳児の体重を決定し且つその体重を看護人に伝え又はその情報をコンピュータの記憶装置に直接入力することのできる任意の様々な装置であってよい。乳児体重計は米国特許第５３７６７６１号（１９９４年１２月２７日発行）、発明の名称「ベッド内乳児体重計」に図示され且つ説明されているようなものであってよい。
【００１９】
前述の別の装置として、乳児の口と連通する何らかの装置から圧力信号を受け取るマノメータのような圧力センサ２０を設けることができ、従って圧力センサ２０は、乳児の栄養をとる能力を表す吸込み力又は強さを検知することができる。圧力センサ２０はまた、このような装置が市場で入手できるので、概略的に示している。しかしながら、本発明では、圧力センサ２０は乳児保育ベッド１０に取り付けるか、又は乳児保育ベッド１０に内蔵させる（すなわち、作り付けにする）。
【００２０】
また、様々な所定の周波数の音を聞く乳児の能力を決定する聴力モニタ２２を設けることができ、聴力モニタ２２は看護人によるアクセスを容易にするために乳児保育ベッド１０に組み入れられる。また、聴力モニタ２２は聴力試験を行う任意の装置であってよく、現在では幾つかの装置が独立型の装置として市場で入手可能である。本発明における聴力モニタ２２は、説明しているように、乳児保育ベッド１０に取り付けられるか、又は乳児保育ベッド１０に内蔵させる。
【００２１】
最後に、本発明における乳児保育ベッド１０の更に別の基本的な試験装置として、ビリルビン測定器２４が設けられ、ビリルビン測定器２４は、乳児の血液中のビリルビン濃度を検知するために乳児に取り付けられるプローブ２６を持つ。他の試験装置の場合と同様に、ビリルビン測定器２４は市販されている装置であり、乳児保育ベッド１０に取り付けられるか、又は乳児保育ベッド１０に内蔵させる。
【００２２】
これらの装置自体は現在容易に入手可能であるが、本発明では、それらの装置を乳児保育ベッド１０に組み入れて、それらを乳児保育ベッド１０から容易に取り外して別の場所へ持っていってその場所で使用することが出来ないようにし、もって看護人は、乳児を受け入れるか又は解放する目的であるかに拘わらず、本発明による乳児保育ベッド１０を使用することによって基本的な試験を確実に行うことができる。
【００２３】
これまで述べたように、基本的な乳児保育ベッド１０は、健康管理設備に乳児を受け入れ又は解放する際に使用される乳児について試験を行う基本的な装置の全てを有している。すなわち、乳児保育ベッド１０には、このような受入れ又は解放に共通な基本的な試験である乳児についての試験、すなわち、吸込み力、聴力、血流の中のビリルビン濃度及び体重の測定の内の少なくとも１つを実施するのに充分な装置が組み入れられている。従って、全ての装置を乳児保育ベッド１０に取り付けるか又は内蔵させることにより、看護人に対して、それらの装置が、乳児保育ベッド１０の乳児プラットフォーム１２の上に乳児を載せている１つの場所で乳児についての基本的な試験を実施するために存在していることを保証することができる。
【００２４】
乳児についてお基本的な試験に加えて、本発明による乳児保育ベッド１０には、乳児について用いられ、看護人にとって有用であり且つ１つ以上が受け入れプロセスか又は解放プロセスのいずれかに適用可能である（必ずしも両方である必要はない）他の試験装置も組み入れることができる。
【００２５】
このような場合、本発明における乳児保育ベッド１０はまた、他の所望の試験として、乳児保育ベッド１０に組み入れられた別の装置を含むことができ、それらには、オキシメータ２８を使用した血液酸素化、血圧計３０による血圧、温度計３２による皮膚温度などの発育上の試験、モータ試験、並びに、ＡＰＧＡＲ試験、ｐＨ試験、動脈血液ガス及び酸塩基欠乏を含めた他の物理的観察を含むことができる。
【００２６】
上述の試験並びに乳児について行うのが望ましことのある他の試験の結果の全てがキーボードのような入力装置３４を介して入力することができ、このため、乳児保育ベッド１０上で看護されている乳児について行われる任意の及び全ての試験の結果は入力装置３４を介して看護人によって電子的に記録することができる。このような他の試験には、限定するものではないが、血液ガス分析、呼吸速度、発育上の評価、体温安定性、物理的評価、排便及び排尿パターン、ＣＢＣ、血液培養、超音波及び他の試験が含まれ、これらの全ては、入力装置３４を介して入力することができるデータ及び情報の形の結果を提供する。
【００２７】
入力されたデータ及び情報の全ては、氏名、病歴などの乳児に関する他の情報及びデータと共に、中央データ記憶装置３６へ伝送することができる。中央データ記憶装置３６は、図示のように、乳児保育ベッド１０に配置して、特定の乳児に関する関連情報及びデータの全てが乳児保育ベッド１０で看護人に提示されてアクセスできるようにすることができる。これらの情報及びデータはまた、有線又は無線手段のいずれかによって、病院設備内に配置された更に遠隔の中央記憶装置センタ３８へ伝送して、その乳児に関する情報及びデータを、病院設備で看護されている他の乳児に関する情報及びデータと共に、保管できるようにすることができる。図１には、無線送信装置４０を例示している。
【００２８】
中央データ記憶装置３６はまた、乳児保育ベッド１０上で看護されている乳児に対して行うべき試験であって特定の病院によって要求されている試験の全てを記述する試験プロトコルを入力するシステムを含む。試験プロトコルはキーボードの使用によって入力装置３４により入力することができ、或いはフロッピー（商標）・ディスク又はＣＤ−ＲＯＭ、又は利用可能であって且つ試験プロトコルを中央データ記憶装置３６へ転送する他の入力手段を使用することによって入力することができる。
【００２９】
試験プロトコル自体は特定の病院によって設定することができ、試験プロトコルは特定の目的のために病院によって要求された全ての試験のリストを提供する。すなわち、乳児の受入れのための試験プロトコルを入力し、且つその乳児の解放のために異なる試験プロトコルを設定することができる。いずれの場合も、看護人は乳児について遂行すべき特定の目的のための特定の試験のリストを持つことができ、そして、それらの試験が看護人によって施行されたとき、データが入力装置３４によって入力され、また得られた結果が中央データ記憶装置３６に入力されたとき試験は完了したと見なすことができる。
【００３０】
そのようにして、看護人は、乳児について遂行する必要のある試験の総数に関して絶えず注意を向けさせられ、また看護人が完了した試験と共に試験プロトコルを完了するために未だ遂行すべき試験について知らされるように視覚的表示装置４２を設けることができる。
【００３１】
試験プロトコルは乳児について実施すべき試験に関する個々の必要性に応じて個々の病院によって作成するか、又は病院の希望に従って乳児保育ベッド１０の製造者によって入力することができる。しかしながら、いずれの場合も、病院はその病院の特別な要件に従って試験プロトコルをカスタマイズすることができ、１つの病院の試験プロトコルは別の病院の試験プロトコルとは大幅に異なるものであってよい。
【００３２】
以上の記載から分かるように、本発明の乳児保育ベッド１０は乳児について様々な試験を実施する能力を持つ試験装置を組み入れており、これにより試験を行うのに必要な試験装置が乳児保育ベッド上の１つの場所で利用可能である。また、同じ乳児保育ベッドで、乳児について遂行すべき全ての試験を看護人に知らせることができるようにプログラムされた試験プロトコルが利用可能であり、また試験が実施されたとき、看護人は試験結果を乳児保育ベッドにおいて入力することができ、また中央データ記憶装置が試験結果を保持し且つ看護人に対して完了した試験を知らせると共に試験プロトコル上に残っている未だ遂行すべき試験を通知する表示を提供する。従って、上記の機能の全てが、看護人にとって便利である単一の場所で利用可能であり、もって各乳児について全ての所望の試験が確実に実行される。
【００３３】
当業者には、本発明の乳児保育ベッドに対して、特許請求の範囲に記載した本発明の範囲及び精神から逸脱せずに、病院設備内の乳児についての評価を改善するような多数の改変及び変更を行い得ることが容易に認められよう。従って、本発明は特許請求の範囲の記載及びその等価なものによって制限されるべきである。
【図面の簡単な説明】
【００３４】
【図１】本発明に従って構成された乳児保育ベッドの概略図である。
【符号の説明】
【００３５】
１２  乳児プラットフォーム
１４  体重計
１６  読出し装置
１８  モニタ・ハウジング
２０  圧力センサ
２２  聴力モニタ
２４  ビリルビン測定器
２６  プローブ
２８  オキシメータ
３０  血圧計
３２  温度計
３４  入力装置
３６  中央データ記憶装置
３８  遠隔の中央記憶装置センタ
４０  無線送信装置
４２  視覚的表示装置
【図１】
0005122798.tif 000002